(57)【要約】【課題】本発明は、画像、文字、図形等の各種データを効率良く保管・管理することが可能となる印刷物の提供方法、印刷物の提供システム、印刷物の提供プログラム、記録媒体を提供することを課題とする。また、本発明は、独創性を有する印刷物を提供することができる印刷物の提供方法、印刷物の提供システム、印刷物の提供プログラム、記録媒体を提供することを課題とする。【解決手段】本発明における印刷物の提供システム１は、ユーザ端末３と、ユーザ端末３から入力されたデータを管理するデータ管理サーバ４と、データ管理サーバ４から送信された前記データを印刷する印刷業者側端末５とから構成されている。【選択図】　図１
2004070776.tif 000002
【特許請求の範囲】
【請求項１】
ユーザ端末から入力された文字、図形、記号、又は写真等からなるデータを適宜配置したレイアウトデータを、ネットワークを介して接続され、レイアウトデータを管理するデータ管理サーバに送信し、前記レイアウトデータを印刷指示命令に変換し、当該印刷指示命令を所定の印刷手段に出力する印刷物の提供方法。
【請求項２】
ユーザ端末から入力された文字、図形、記号、又は写真等からなるデータを適宜配置したレイアウトを管理するデータ管理サーバが、
ネットワークを介して接続されたユーザ端末から送信されたレイアウトデータを受信するステップと、
当該レイアウトデータを所定形式に変換するステップと、
前記レイアウトデータを印刷指示命令に変換するステップと、
印刷指示命令を受けて印刷を行う印刷手段に前記印刷指示命令を送信するステップと、
からなり、
前記レイアウトデータは前記印刷指示命令によって加工されることを特徴とする印刷物の提供方法。
【請求項３】
前記印刷手段は、前記印刷指示命令を受けて前記レイアウトデータを印刷する印刷業者側端末であることを特徴とする請求項１又は２に記載の印刷物の提供方法。
【請求項４】
前記データ管理サーバは、前記ユーザ端末から受信したレイアウトデータを所定の形式に変換する変換プログラムを前記印刷手段、及び／又は前記ユーザ端末に配信することを特徴とする請求項１又は２に記載の印刷物の提供方法。
【請求項５】
前記変換プログラムは、画像の保存形式を変換するプログラムを含むことを特徴とする請求項４に記載の印刷物の提供方法。
【請求項６】
前記変換プログラムは、書式を変換するプログラムを含むことを特徴とする請求項４に記載の印刷物の提供方法。
【請求項７】
前記変換プログラムは、文字・図形・記号に見出しをつけるプログラムを含むことを特徴とする請求項４に記載の印刷物の提供方法。
【請求項８】
前記レイアウトデータは、画像データのレイアウトを含むことを特徴とする請求項１〜７の何れかに記載の印刷物の提供方法。
【請求項９】
前記レイアウトデータは、文字の書体に関するデータを含むことを特徴とする請求項１〜８の何れかに記載の印刷物の提供方法。
【請求項１０】
前記レイアウトデータは、前記インデックスに対応した表のレイアウトを含むことを特徴とする請求項７に記載の印刷物の提供方法。
【請求項１１】
ユーザ端末の表示装置に文字、図形、記号、又は写真等からなるデータを適宜配置してレイアウトを作成する画面を表示させ、
前記ユーザ端末によるレイアウトの作成完了後、前記レイアウトに基づく加工を行うか否かを入力する画面を表示させ、
加工の要求が入力されると前記レイアウトのデータを印刷指示命令に変換し、当該印刷指示命令をレイアウトデータに基づいて印刷を行う印刷手段に送信する画面を表示させるネットワークを利用した表示端末による印刷物の提供方法。
【請求項１２】
ユーザ端末から入力された文字、図形、記号、又は写真等からなるデータを適宜配置したレイアウトを管理するデータ管理サーバは、
ネットワークを介して接続されたユーザ端末から送信されたレイアウトデータを受信する受信手段と、
当該レイアウトデータを所定形式に変換する形式変換手段と、
前記レイアウトデータを印刷指示命令に変換するデータ変換手段と、
印刷指示命令を受けて印刷を行う印刷手段に前記印刷指示命令を送信する送信手段と、
を備え、前記レイアウトデータは前記印刷指示命令によって製本化されることを特徴とする印刷物の提供システム。
【請求項１３】
ユーザ端末から入力された文字、図形、記号、又は写真等からなるデータを適宜配置したレイアウトを管理するデータ管理サーバに、
ネットワークを介して接続されたユーザ端末から送信されたレイアウトデータを受信するステップと、
当該レイアウトデータを所定形式に変換するステップと、
前記レイアウトデータを印刷指示命令に変換するステップと、
印刷指示命令を受けて印刷を行う印刷手段に前記印刷指示命令を送信するステップと、
を実行させる印刷物の提供プログラム。
【請求項１４】
ユーザ端末から入力された文字、図形、記号、又は写真等からなるデータを適宜配置したレイアウトを管理するデータ管理サーバに、
ネットワークを介して接続されたユーザ端末から送信されたレイアウトデータを受信するステップと、
当該レイアウトデータを所定形式に変換するステップと、
前記レイアウトデータを印刷指示命令に変換するステップと、
印刷指示命令を受けて印刷を行う印刷手段に前記印刷指示命令を送信するステップと、
を実行させるプログラムを記録した記録媒体。
【発明の詳細な説明】
【０００１】
【発明の属する技術分野】
本発明は、文字、図柄、記号又は写真等のデータを適宜配置したレイアウトを印刷し印刷物を提供する印刷物の提供方法、印刷物の提供システム、印刷物の提供プログラム、記録媒体に関する。
【０００２】
【従来の技術】
近年、パーソナルコンピュータ（以下パソコンと称す）が普及するに従って、ユーザは、デジタルカメラ等で撮影した画像をパソコンに取り込み、専用のソフトを用いパソコン上で編集することができるようになった。
【０００３】
ユーザがパソコン上で行うことができる編集内容として、例えば、いくつかの画像を組み合わせてアルバムのようなレイアウトを作成したり、画像に文字や図柄を書き込んだりする内容を挙げることができる。
【０００４】
そして、多くのユーザは、編集した画像のデータをＣＤ−Ｒ（ＣｏｍｐａｃｔＤｉｓｋ　Ｒｅｃｏｒｄａｂｌｅ）やＭＯ（Ｍａｇｎｅｔ　Ｏｐｔｉｃａｌ）やハードディスク等の記録媒体に記録し、タイトルや番号等を付けて保存していた。
【０００５】
その他にも、ユーザは、プリンターにより編集した画像を専用の用紙に印刷し、フィルムを現像して得られる写真としてアルバムに収容する等して、画像を整理していた。
【０００６】
つまり、パソコンの普及により、ユーザは、自分で画像を編集、印刷し、画像データを保管することができるようになった。
【０００７】
また、最近では、インターネットの普及により、編集した画像のデータを、画像データを感光用紙に定着させ現像する現像業者の端末へと送信し、現像を依頼する方法も行われるようになった。
【０００８】
つまり、インターネットの普及により、ユーザが画像データを印刷し、写真を得る為の手間を省くことができるようになった。
【０００９】
【発明が解決しようとする課題】
ところが、パソコン上で編集した画像データは、各種の記録媒体に記録されて保管される為、画像データの量が多くなるに伴い画像データを記録する記録媒体の量も増えてしまっていた。
【００１０】
さらに、ユーザが画像データをプリンターによって印刷し、アルバムに収容する手段をとった場合、印刷された画像（印刷物）が増えるに従いアルバムの冊数が増えてしまい収納場所の確保を余儀なくされてしまう。
【００１１】
また、インターネットを介して画像データの印刷、又は現像を業者に依頼する場合も、上述した事項と同様に、印刷、又は現像された画像（印刷物や写真等）の量が増えるに伴いそれらの保管場所を確保しなくてはならないという問題があった。
【００１２】
加えて、インターネットを介して業者に画像の印刷、又は現像を依頼した場合は、印刷又は現像された画像には、レイアウト等の編集内容は反映されず撮影したままの内容となってしまう。
【００１３】
そこで、本発明は上述した事項に鑑みてなされたものであり、その解決しようとする課題は、画像、文字、図形等の各種データを効率良く保管・管理することが可能となる印刷物の提供方法、印刷物の提供システム、印刷物の提供プログラム、記録媒体を提供することにある。
【００１４】
また、本発明は、独創性を有する印刷物を提供することができる印刷物の提供方法、印刷物の提供システム、印刷物の提供プログラム、記録媒体を提供することを課題とする。
【００１５】
【課題を解決するための手段】
本発明は、前記課題を解決する為に以下の手段を採用した。即ち、本発明は、ユーザ端末から入力された文字、図形、記号、又は写真等からなるデータを適宜配置したレイアウトデータを、ネットワークを介して接続され、レイアウトデータを管理するデータ管理サーバに送信する。
【００１６】
そして、本発明は送信されたレイアウトデータを印刷指示命令に変換し、当該印刷指示命令を所定の印刷手段に出力する印刷物の提供方法である。
【００１７】
このように、ユーザ端末によりレイアウト等の編集が行われた各種データをネットワークを介して印刷することができる。そのため、印刷された印刷物にユーザの編集内容を反映することができる。
【００１８】
また、本発明におけるデータ管理サーバは、ユーザ端末から入力された文字、図形、記号、又は写真等からなるデータを適宜配置したレイアウトを管理する。
【００１９】
このレイアウトは、写真を適宜配置したアルバムのレイアウト，文字や記号にインデックスをつけた名簿や住所録のような表形式のレイアウト等を例示できる。
【００２０】
このデータ管理サーバは、ネットワークを介して接続されたユーザ端末から送信されたレイアウトデータを受信するステップと、当該レイアウトデータを所定形式に変換するステップとを行う。
【００２１】
加えて、データ管理サーバは、レイアウトデータを印刷指示命令に変換するステップと、印刷指示命令を受けて印刷を行う印刷手段に印刷指示命令を送信するステップとを行う。尚、本発明におけるレイアウトデータは、画像データのレイアウト、文字、及び書式のレイアウトを含む。
【００２２】
さらに、本発明では、ユーザ端末から入力されたレイアウトデータは印刷指示命令によって加工されることを特徴とする。
【００２３】
ここでの加工とは、文字、記号、画像等をレイアウトし小冊子に製本したり、ポスターやカレンダー等を作成すること等が含まれる。
【００２４】
このように、ユーザが作成したレイアウトデータが小冊子に製本されることにより、デジタルカメラ等で撮影した画像をコンパクトにまとめて保存することができる。
【００２５】
これまでは、現像やプリントアウトした写真を保管するにはポケット式のアルバムに入れたり、台紙式のアルバムにレイアウトを作成しながら貼り付けたりしなくてはならなかった。
【００２６】
ところが、本発明によれば写真をアルバムに収容する作業を省略することができる。
【００２７】
さらに、従来よりある台紙が増やせるタイプのアルバムでは、写真の量に比例して、台紙の枚数が増えアルバムの厚さが厚くなってしまっていた。
【００２８】
しかし、本発明によれば、従来のアルバム同様の内容を専用の紙に印刷し製本する為、できあがった小冊子は厚さが薄く保管場所を広くとられることがなくなる。
【００２９】
また、ユーザ端末から送信されたレイアウトデータを印刷する本発明における印刷手段は、印刷指示命令を受けてレイアウトデータを印刷する印刷業者側端末とすることもできる。
【００３０】
さらに、本発明におけるデータ管理サーバは、ユーザ端末から受信したレイアウトデータを所定の形式に変換する変換プログラムを印刷手段、及び／又はユーザ端末に配信することを特徴とする。
【００３１】
画像の保存形式を変換するプログラムとは、例えば、ＪＰＥＧ（Ｊｏｉｎｔ　Ｐｈｏｔｏｇｒａｐｈｉｃ　Ｅｘｐｅｒｔｓ　Ｇｒｏｕｐ）形式やＰＤＦ（Ｐｏｒｔａｌ　Ｄｏｃｕｍｅｎｔ　Ｆｏｒｍａｔ）形式等で保存されたレイアウトデータを、ＢＭＰ（Ｂｉｔ　Ｍａｐ）形式に変換するようなプログラムを挙げることができる。
【００３２】
このような変換プログラムを、データ管理サーバからユーザ端末や印刷手段（印刷業者側端末）に配信する構成とすることで、ユーザ端末と印刷手段とのデータ変換に互換性を持たせることができる。
【００３３】
また、書式を変換するプログラムも上述した画像の保存形式を変換するプログラムと同様に、ユーザ端末に格納されている書式と、印刷手段（印刷業者側端末）に格納されている書式との互換性を高めることができる。
【００３４】
その他の変換プログラムとして、文字・図形・記号に見出しを付けるプログラムを例示できる。
【００３５】
これに加えて、本発明の変換プログラムは、このインデックスや索引に対応した名簿や表を作成する変換プログラムとしてもよい。これによって、ユーザは名簿や表を容易に作成することができるようになる。
【００３６】
また、上述した画像の保存形式を変換するプログラムや書式を変換するプログラムをネットワークを介して配信する場合には、これらのプログラムをアップロードできるような構成を付加すると好ましい。
【００３７】
さらに、本発明は、データ管理サーバがネットワークを介してユーザ端末の表示装置に表示させる方法でもある。
【００３８】
即ち、本発明は、ユーザ端末の表示装置に文字、図形、記号、又は写真等からなるデータを適宜配置してレイアウトを作成する画面を表示させる。
【００３９】
そして、本発明は、ユーザ端末によるレイアウトの作成完了後、そのレイアウトに基づく加工を行うか否かを入力する画面を表示させる。
【００４０】
さらに、加工の要求が入力されるとレイアウトのデータを印刷指示命令に変換し、この印刷指示命令をレイアウトデータに基づいて印刷を行う印刷手段に送信する画面を表示させる。
【００４１】
さらに、本発明は印刷物の提供システムでもある。本発明における印刷物の提供システムは、ユーザ端末から入力された文字、図形、記号、又は写真等からなるデータを適宜配置したレイアウトを管理するデータ管理サーバが、ネットワークを介して接続されたユーザ端末から送信されたレイアウトデータを受信する受信手段と、当該レイアウトデータを所定形式に変換する形式変換手段と、レイアウトデータを印刷指示命令に変換するデータ変換手段と、印刷指示命令を受けて印刷を行う印刷手段に印刷指示命令を送信する送信手段とを備えている。
【００４２】
そして、本発明における印刷物の提供システムでは、ユーザ端末から送信されたレイアウトデータが印刷指示命令によって製本等の加工が施される。
【００４３】
さらに、本発明は、ユーザ端末から入力された文字、図形、記号、又は写真等からなるデータを適宜配置したレイアウトを管理するデータ管理サーバに印刷物を提供させるプログラムでもある。
【００４４】
本発明におけるプログラムは、ネットワークを介して接続されたユーザ端末から送信されたレイアウトデータを受信するステップと、このレイアウトデータを所定形式に変換するステップと、レイアウトデータを印刷指示命令に変換するステップと、印刷指示命令を受けて印刷を行う印刷手段に印刷指示命令を送信するステップとをデータ管理サーバに実行させる。
【００４５】
さらに、本発明は、上記プログラムを記録した記録媒体でもある。本発明における記録媒体は、ネットワークを介して接続されたユーザ端末から送信されたレイアウトデータを受信するステップと、当該レイアウトデータを所定形式に変換するステップと、レイアウトデータを印刷指示命令に変換するステップと、印刷指示命令を受けて印刷を行う印刷手段に印刷指示命令を送信するステップとを、ユーザ端末から入力された文字、図形、記号、又は写真等からなるデータを適宜配置したレイアウトを管理するデータ管理サーバに実行させるプログラムを記録している。
【００４６】
【発明の実施の形態】
以下、本実施形態におる印刷物の提供方法、及び印刷物の提供システムについて説明する。
【００４７】
先ず、図１に本実施形態における印刷物の提供システム１のシステム概念図を示す。尚、本実施形態中でのネットワーク２は、ＴＣＰ／ＩＰ（Ｔｒａｎｓｍｉｓｓｉｏｎ　Ｃｏｎｔｒｏｌ　Ｐｒｏｔｏｃｏｌ／Ｉｎｔｅｒｎｅｔ　Ｐｒｏｔｏｃｏｌ）を利用したインターネットとして説明する。
【００４８】
図１に示すように、本実施形態における印刷物の提供システム１は、ユーザ端末３と、ユーザ端末３から入力されたデータを管理するデータ管理サーバ４と、データ管理サーバ４から送信された前記データを印刷する印刷業者側端末（印刷手段）５とから構成されている。
【００４９】
次に、図２に基づき、本実施形態における印刷物の提供システム１のハードウェア構成について説明する。
【００５０】
図２に示すように、データ管理サーバ４は、各種プログラムやデータを記憶するＲＯＭ（Ｒｅａｄ　Ｏｎｌｙ　Ｍｅｍｏｒｙ）６と、このＲＯＭ６に記憶されたプログラムを実行する中央処理装置（Ｃｅｎｔｒａｌ　ＰｒｏｃｅｓｓｉｎｇＵｎｉｔ、以下ＣＰＵと称す）７と、このＣＰＵ７で処理されるプログラムやデータを一時的に記憶するＲＡＭ（Ｒａｎｄｏｍ　Ａｃｃｅｓｓ　Ｍｅｍｏｒｙ）８とを有する。
【００５１】
さらに、データ管理サーバ４は、ＣＰＵ７で処理されるプログラムやデータを記憶するハードディスク９と、ＣＰＵ７からの指令に従いネットワーク２を介して通信データの送受信を行う通信インターフェースとを有する。尚、これらの部品は、ＢＵＳ（バス）１０ａを介して接続されている。
【００５２】
この、ＲＡＭ８及びＲＯＭ６にはデータ管理サーバ４の制御を司るメインプログラムをはじめ、各種機能を実行させるためのプログラムが格納されている。格納されたプログラムには、文字や書式の変換を行うプログラムや画像の保存形式を変換するプログラムである形式変換プログラム（形式変換手段）１１がある。
【００５３】
その他にも、ＲＡＭ８及びＲＯＭ６には形式変換プログラム１１にて変換されたレイアウトデータを出力するための指示命令に変換する印刷指示命令変換プログラムも格納されている。
【００５４】
さらに、ハードディスク９には、ユーザ端末３から送信されてきたレイアウトデータを格納する領域が構築されている。
【００５５】
また、本実施形態におけるデータ管理サーバ４は、ユーザ端末３から送信された文字や画像のレイアウトデータを受信する受信部（受信手段）１３と、印刷業者側端末５に印刷指示命令を送信する送信部（送信手段）１４とも有している。
【００５６】
このようなハードウェア構成によりデータ管理サーバ４のＣＰＵ７は、通信インターフェース２６からネットワーク２を介してユーザ端末３、及び印刷業者側端末５との通信を行う。
【００５７】
また、本実施形態におけるユーザ端末３は、レイアウトデータを入力・編集する入力部１５と、レイアウトデータを表示させる表示部１６と、入力・編集したレイアウトデータをデータ管理サーバ４に送信する送信部１７とから構成されている。
【００５８】
さらに、本実施形態における印刷業者側端末５は、データ管理サーバ４から送信された印刷指示命令を受信する受信部１８と、受信した印刷指示命令に基づくレイアウトデータを表示する表示部１６ｂと、印刷指令命令に従ってレイアウトデータを印刷する出力部１９とを有している。
【００５９】
尚、本実施形態にけるデータ管理サーバ４は、ユーザ端末３、および印刷業者側端末５とインターネット２を介して接続されている。
【００６０】
また、本実施形態におけるユーザ端末３は、インターネット２接続可能な端末であれば、パーソナルコンピュータ、携帯電話、ＰＤＡ（Ｐｅｒｓｏｎａｌ　Ｄｉｇｉｔａｌ　Ａｓｓｉｓｔａｎｔ）等に限定されない。
【００６１】
また、ユーザ端末３の入力部１５として、キーボード・マウス・タッチパネル等を挙げることができる。
【００６２】
また、図２に示すように、ユーザ端末３、及び印刷業者側端末５には、データ管理サーバ４から送信される情報を表示するために、表示部１６ａ，１６ｂがＢＵＳ１０ｂ，１０ｃを介して接続されている。
【００６３】
この表示部１６ａ，１６ｂとして、液晶ディスプレイや陰極線管ディスプレイ等を用いると好ましい。
【００６４】
尚、何れもこれらと同様の機能を果たす手段であれば、これらに限定されることはない。
【００６５】
以上が本実施形態におけるデータ管理サーバ４、ユーザ端末３、印刷業者側端末５におけるハードウェア構成である。
【００６６】
次に、上述したハードウェア構成を踏まえて、本実施の形態の印刷物の提供システム１による印刷物の提供方法の手順を図３のフローチャートに基づき説明する。
【００６７】
初めに、データ管理サーバ４は、ユーザ端末３の送信部１７から送信されるレイアウトデータの受信を待機する（Ｓ０１）。
【００６８】
尚、ユーザ端末３から送信されるレイアウトデータは、図４に示すような画像２３と文字（文章）２４が配置されたデータのことを示す。このレイアウトデータ２０は、ユーザが所定のソフトを用いて作成する。
【００６９】
また、図２に示すユーザ端末３の送信部１７からレイアウトデータを送信する方法としては以下のような方法を例示できる。
【００７０】
例えば、図５に示すように、レイアウトの編集を行う図１に示すユーザ端末３の表示部１６の画面２１中に、編集が完了したレイアウトデータを図１に示すデータ管理サーバ４へ送信する専用のアイコン２２を設ける。このアイコン２２をクリックすることにより、編集が施されたレイアウトデータをデータ管理サーバ４へ送信するという方法を挙げることができる。
【００７１】
その他にも、レイアウトの編集時間を予め設定しておき、所定時間が経過した後に自動的にデータ管理サーバ４へレイアウトデータを送信するという方法も例示できる。
【００７２】
そして、図２に示すユーザ端末３の送信部１７からレイアウトデータが送信されたと思われると同時に、レイアウトデータ受信の有無を判断する（Ｓ０２）。
【００７３】
ここで、レイアウトデータの受信がなかったと判断された場合、データ管理サーバ４は再びレイアウトデータの受信を待機する。
【００７４】
一方、ユーザ端末３の送信部１７からアクセスがあったと判断された場合は、そのレイアウトデータに文字や書式に関する変換や、画像の形式に関する変換が必要か否かを判断する（Ｓ０３）。
【００７５】
そして、図２に示すデータ管理サーバ４は、ステップ０３でレイアウトデータに所定の変換が必要であると判断された場合は、ＲＡＭ８及びＲＯＭ６から形式変換プログラム１１を読み出しこのプログラムをＣＰＵ７により実行する（Ｓ０４）。
【００７６】
また、図３に示すステップ０４で形式変換処理が実行されると、このステップではデータ管理サーバ４のＲＯＭ６内に格納されている印刷指示命令変換プログラムを読み出す。そして、この印刷指示命令変換プログラムをＣＰＵ７により実行する（Ｓ０５）。
【００７７】
一方、ステップ０３でレイアウトデータに所定の変換が必要でないと判断された場合は、ステップ０５に進み、図２に示すユーザ端末３の送信部１７から送信されたままのレイアウトデータを印刷指示命令に変換すべき処理が行われる。
【００７８】
そして、レイアウトデータが印刷指示命令に変換されると、図２に示すデータ管理サーバ４は、ネットワーク２を介して接続されている印刷業者側端末５へこの印刷指示命令を送信する（Ｓ０６）。
【００７９】
この印刷指示命令を図２に示す受信部１８にて受信した印刷業者側端末５は、この印刷指示命令に従ってレイアウトデータを印刷・製本加工する。
【００８０】
以上が本実施形態における印刷物の提供手順である。
【００８１】
このように、図１に示す本実施形態の印刷物の提供システム１、及び提供方法によれば、ユーザ端末３によりレイアウト等の編集が行われた各種データをネットワーク２を介して印刷することができる。
【００８２】
そのため、本実施形態の印刷業者により印刷・加工された印刷物は、ユーザが編集した内容を十分に反映させることができる。
【００８３】
また、本実施形態における印刷物の提供システム１及び提供方法は、ユーザがアルバムを作成する場合に好適に用いることができる。何故なら、本実施形態の印刷物の提供システム１及び提供方法によれば、画像や文字をアルバムの台紙に収容する作業を省略することができる為である。
【００８４】
さらに、本実施形態の印刷物の提供システム１及び提供方法によれば、従来のアルバム同様の内容を専用の紙に印刷し製本することができる。そのため、できあがったアルバムは小冊子となり厚さが薄く保管場所を広くとられることがなくなる。
【００８５】
尚、本実施形態中では、印刷物の提供方法、及びシステムについてのみ説明したが、他の実施形態として印刷物の提供プログラム、又は当該プログラムを記録した記録媒体とすることもできる（共に図示せず）。
【００８６】
この印刷物の提供プログラムは、ユーザ端末から入力された文字、図形、記号、又は写真等からなるデータを適宜配置したレイアウトを管理するデータ管理サーバに印刷物を提供させるプログラムである。
【００８７】
そして、このプログラムは、ネットワークを介して接続されたユーザ端末から送信されたレイアウトデータを受信するステップと、このレイアウトデータを所定の形式に変換するステップとをデータ管理サーバに実行させる。
【００８８】
さらに、このプログラムは、レイアウトデータを印刷指示命令に変換するステップと、印刷指示命令を受けて印刷を行う印刷手段に印刷指示命令を送信するステップとデータ管理サーバに実行させる。
【００８９】
また、他の実施形態における記録媒体は、上述したプログラムを記録している。すなわち、この記録媒体は、ネットワークを介して接続されたユーザ端末から送信されたレイアウトデータを受信するステップと、このレイアウトデータを所定形式に変換するステップとを記録している。
【００９０】
さらに、この記録媒体には、レイアウトデータを印刷指示命令に変換するステップと、印刷指示命令を受けて印刷を行う印刷手段に印刷指示命令を送信するステップとが記録されている。
【００９１】
そして、この記録媒体に記録されたプログラムは、ユーザ端末から入力された文字、図形、記号、又は写真等からなるデータを適宜配置したレイアウトを管理するデータ管理サーバによって実行される。
【００９２】
＜変形例＞
本実施形態中では印刷物をアルバムとして説明したが、印刷物の変形例として印刷物を名簿や住所録を例示できる。
【００９３】
名簿・住所録のレイアウトには、「名前」，「住所」，「電話番号」等の必要事項を記入する項目欄が設けられている。
【００９４】
そして、これらの項目欄の配置やスタイルの違う複数のレイアウトが、図２に示すハードディスク９のレイアウトデータを格納する領域に格納されている。つまり、ユーザはこのハードディスク９からレイアウトを選択する。
【００９５】
また、このときの変換プログラムも本実施形態の変換プログラムと同様にＲＡＭ８及びＲＯＭ６に格納されている。
【００９６】
そして、このときの変換プログラムは、ユーザが選択したレイアウトを用いて名簿を作成するプログラムと、名簿や住所録のインデックスを作成するプログラムとすることができる。尚、インデックスは、名前の五十音や住所の地名等各種項目に分類することができる。このインデックスの形式もユーザが選択可能とする。
【００９７】
このような変換プログラムによって、ユーザは名簿や住所録を作成する為に「名前」，「住所」，「電話番号」をユーザ端末から入力し、名簿や住所録のレイアウトを選択するだけでインデックス付きの名簿や住所録を容易に作成することができる。
【００９８】
【発明の効果】
以上のことにより、本発明によれば、画像、文字、図形等の各種データを効率良く保管・管理することが可能となる印刷物の提供方法、印刷物の提供システム、印刷物の提供プログラム、記録媒体を提供することができる。
【００９９】
また、本発明によれば、独創性を有する印刷物を提供することができる印刷物の提供方法、印刷物の提供システム、印刷物の提供プログラム、記録媒体を提供することが可能となる。
【図面の簡単な説明】
【図１】本実施形態における印刷物の提供システムの概念図である。
【図２】本実施形態における印刷物の提供システムのハードウェア構成図である。
【図３】本実施形態における印刷物の提供方法の手順を示すフローチャートである。
【図４】本実施形態におけるレイアウトデータのイメージ図である。
【図５】本実施形態におけるユーザ端末の表示部に表示される画面のイメージ図である。
【符号の説明】
１　印刷物の提供システム
２　ネットワーク
３　ユーザ端末
４　データ管理サーバ
５　印刷業者側端末（印刷手段）
６　ＲＯＭ
７　ＣＰＵ
８　ＲＡＭ
９　ハードディスク
１０　ＢＵＳ
１１　形式変換プログラム（形式変換手段）
１２　印刷指示命令変換プログラム（印刷指示命令変換手段）
１３，１８　受信部（受信手段）
１４，１７　送信部（送信手段）
１５　入力部
１６　表示部
１９　出力部
２０　レイアウトデータ
２１　画面
２２　アイコン
２３　画像
２４　文字（文章）
【図１】
2004070776.tif 000003
【図２】
2004070776.tif 000004
【図３】
2004070776.tif 000005
【図４】
2004070776.tif 000006
【図５】
2004070776.tif 000007